(57)【要約】  雄型チューブフィッティングは、第１の内部ボアと、雄型プラグを含む端部分とを有する。システムは、長手方向の軸線に沿って延在する雄型チューブフィッティングを有する。システムは、雄型プラグを受容するように構成された第２の内部ボアを有する雌型チューブフィッティングも有する。また、システムは、雄型チューブフィッティングの周りに配置され、長手方向の軸線に沿って第１の位置から第２の位置へ自由に摺動するように位置付けられたカラーを有する。第１の位置では、雄型プラグが雌型チューブフィッティングの第２の内部ボア内に取外し可能に挿入可能であるように、雄型チューブフィッティングと雌型チューブフィッティングとが互いに対してロック解除される。第２の位置では、雄型プラグが雌型チューブフィッティングの第２の内部ボアから取り外されることが妨げられるように、雄型チューブフィッティングと雌型チューブフィッティングとが互いに対してロックされる。
2014531227.tif 000002
【特許請求の範囲】
【請求項１】
長手方向の軸線に沿って延在し、且つ、第１の内部ボアと、雄型プラグを含む端部分とを有する雄型チューブフィッティングと、
前記雄型プラグを受容するように構成された第２の内部ボアを有する雌型チューブフィッティングと、
前記雄型チューブフィッティングの周りに配置され、前記長手方向の軸線に沿って第１の位置から第２の位置へ自由に摺動するように位置付けられたカラーであって、前記第１の位置では、前記雄型プラグが前記雌型チューブフィッティングの第２の内部ボア内に取外し可能に挿入可能であるように、前記雄型チューブフィッティングと前記雌型チューブフィッティングとが互いに対してロック解除され、前記第２の位置では、前記雄型プラグが前記雌型チューブフィッティングの第２の内部ボアから取り外されることが妨げられるように、前記雄型チューブフィッティングと前記雌型チューブフィッティングとが互いに対してロックされる、カラーと
を具備する、システム。
【請求項２】
前記カラーが、該カラーを前記長手方向の軸線に沿って前記第１の位置から前記第２の位置まで摺動可能に位置付けるべく変形する弾性変形可能な部分を含む、請求項１に記載のシステム。
【請求項３】
前記雄型チューブフィッティングが、前記カラーを前記第１の位置に選択的に保持する保持部材を含む、請求項２に記載のシステム。
【請求項４】
前記弾性変形可能な部分が、前記カラーを前記第１の位置に選択的に保持すべく前記保持部材と相互に作用するテーパー状リップを含む、請求項３に記載のシステム。
【請求項５】
前記弾性変形可能な部分がスリットを含み、該スリットは、前記テーパー状リップを遮断し、このことによって、該テーパー状リップが前記カラーを前記保持部材の選択的な保持部を越えて摺動させるように前記長手方向の軸線から外側に変形することを可能とする、請求項４に記載のシステム。
【請求項６】
前記カラーが、空間を画定するネジ山パターンを有する第３の内部ボアを含み、前記雄型チューブフィッティングが前記第３の内部ボアを通って配置される、請求項１に記載のシステム。
【請求項７】
前記雌型チューブフィッティングが、突起を含む外面を有し、
前記突起は、前記カラーが、前記第２の位置にあり、このことによって前記雄型チューブフィッティングの第１の内部ボアを前記雌型チューブフィッティングの第２の内部ボアとシール係合し且つロックするとき、前記空間に配置される、請求項６に記載のシステム。
【請求項８】
前記カラーが前記雄型チューブフィッティングに対して前記長手方向の軸線回りに回転可能である、請求項１に記載のシステム。
【請求項９】
長手方向の軸線に沿って延在する外面と、テーパー状端部分とを有する雄型チューブフィッティングであって、第１の内部ボアを含む雄型チューブフィッティングと、
前記テーパー状端部分を受容するように構成された第２の内部ボアと、突起を含む外面とを有する雌型チューブフィッティングと、
前記雄型チューブフィッティングの外面の周りに配置され、前記雄型チューブフィッティングに対して前記長手方向の軸線回りに回転可能なカラーであって、前記雌型チューブフィッティングの突起を取外し可能に受容するように構成された空間を画定するネジ山パターンを含む内面を有するネジ切りされた内部ボアを含むカラーと
を具備する、システムであって、
前記突起が前記空間内に位置付けられるとき、前記雄型チューブフィッティングに対する前記長手方向の軸線回りの前記カラーの回転によって、前記雄型チューブフィッティングの第１の内部ボアが前記雌型チューブフィッティングの第２の内部ボアとシール係合され且つロックされる、システム。
【請求項１０】
前記カラーが前記長手方向の軸線に沿って第１の位置から第２の位置まで位置付け可能であり、前記第１の位置では、前記テーパー状端部分が前記雌型チューブフィッティングの第２の内部ボア内に取外し可能に挿入可能であるように、前記雄型チューブフィッティングと前記雌型チューブフィッティングとが互いに対してロック解除され、前記第２の位置では、前記テーパー状端部分が前記雌型チューブフィッティングの第２の内部ボアから取り外されることが妨げられるように、前記雄型チューブフィッティングと前記雌型チューブフィッティングとが互いに対してロックされる、請求項９に記載のシステム。
【請求項１１】
前記雄型チューブフィッティングの外面が近位保持部材と遠位保持部材とを含み、前記近位保持部材が前記カラーを前記第１の位置に選択的に保持し、前記遠位保持部材が前記カラーを前記第２の位置に選択的に保持する、請求項９に記載のシステム。
【請求項１２】
前記カラーが、該カラーを前記近位保持部材及び遠位保持部材の選択的な保持部を越えて位置付けるべく変形する弾性変形可能な部分を含む、請求項１１に記載のシステム。
【請求項１３】
前記弾性変形可能な部分がテーパー状リップを含み、該テーパー状リップが、前記近位保持部材と相互に作用し、前記近位保持部材の選択的な保持部を越えて移動するように変形されるとき、前記長手方向の軸線から外側に撓む、請求項１２に記載のシステム。
【請求項１４】
前記近位保持部材が、前記雄型チューブフィッティングの外面の周囲の周りに延在する第１の瘤であり、前記遠位保持部材が、前記雄型チューブフィッティングの外面の周囲の周りに延在する第２の瘤である、請求項１２に記載のシステム。
【請求項１５】
前記ネジ山パターンが、前記ネジ切りされた内部ボアの内面上に周方向に配置され且つ前記空間を画定する一対の対向斜面を含む、請求項９に記載のシステム。
【請求項１６】
長手方向の軸線に沿って延在し且つ保持部材を含む外面を有する雄型チューブフィッティングであって、第１の内部ボアと、テーパー状端部分とを更に含む雄型チューブフィッティングと、
前記テーパー状端部分を受容するように構成された第２の内部ボアを有する雌型チューブフィッティングと、
前記雄型チューブフィッティングの外面の周りに配置され、前記長手方向の軸線に沿った第１の位置に前記保持部材によって選択的に保持されたカラーであって、前記長手方向の軸線に沿った第２の位置まで前記保持部材の選択的な保持部を越えて前記カラーを位置付けるべく変形する弾性変形可能な部分を含むカラーと
を具備する、システムであって、
前記第１の位置では、前記テーパー状端部分が前記雌型チューブフィッティングの第２の内部ボア内に取外し可能に挿入可能であるように、前記雄型チューブフィッティングと前記雌型チューブフィッティングとが互いに対してロック解除され、前記第２の位置では、前記テーパー状端部分が前記雌型チューブフィッティングの第２の内部ボアから取り外されることが妨げられるように、前記雄型チューブフィッティングと前記雌型チューブフィッティングとが互いに対してロックされる、システム。
【請求項１７】
前記弾性変形可能な部分が、前記カラーを前記第１の位置に選択可能に保持すべく前記保持部材と相互に作用するリップを含む、請求項１６に記載のシステム。
【請求項１８】
前記リップが、前記長手方向の軸線に沿って前記保持部材の選択的な保持部を越えて前記第２の位置まで前記カラーを位置付けるべく、前記長手方向の軸線から外側に離れるように変形する、請求項１７に記載のシステム。
【請求項１９】
前記雌型チューブフィッティングが、突起を含む外面を有し、
前記カラーが、一対の対向ネジ山を含む内面を有する内部ボアを有し、前記一対の対向ネジ山が、前記内面の周りに周方向に延在し、且つ、前記雌型チューブフィッティングの突起を取外し可能に受容するための空間を作り出し、
前記突起が前記空間内に位置付けられるとき、前記雄型チューブフィッティングに対する前記長手方向の軸線回りの前記カラーの回転によって、前記雄型チューブフィッティングの第１の内部ボアが前記雌型チューブフィッティングの第２の内部ボアとシール係合され且つロックされる、請求項１６に記載のシステム。
【請求項２０】
前記雄型チューブフィッティングは、前記カラーが前記第２の位置に選択的に保持されるように、前記テーパー状端部分に近接した第２の保持部材を含む、請求項１６に記載のシステム。
【発明の詳細な説明】
【技術分野】
【０００１】
本開示は、概して、眼科手術において使用される手術器具にチューブを結合するように構成された引っ込み式ルアーロックフィッティングに関する。
【背景技術】
【０００２】
様々な手術システムが眼科手術において使用される。例えば、斯かるシステムは、手術コンソールと、付属品（例えばフットスイッチ、再利用可能なハンドピース）と、様々な消耗品とを含むことができる。消耗品は、典型的には、コンソールに接続されたチューブセットを含み、チューブセットは、無殺菌領域におけるコンソールから、殺菌領域において使用され且つ殺菌領域に残される手術器具又は他の装置への通路を提供する。典型的には、コンソールから手術装置にチューブを流体的に結合するのにチューブフィッティングが使用される。
【０００３】
シリンジ、ニードル、カテーテル及びチューブセットのような医療装置においてルアーフィッティングが広く使用されている。二つのタイプ、すなわちルアースリップフィッティング及びルアーロックフィッティングが普及している。両方のタイプが雄型フィッティング及び雌型フィッティングから成る。ルアースリップフィッティングは雄型ルアー表面と雌型ルアー表面との間の摩擦嵌合によってシール係合される。ルアーロックフィッティングは雄型ルアー表面及び雌型ルアー表面上の追加のロック要素でシール係合される。より具体的には、雌型の外面がその開口部の近くに一対の対向フランジを含む。雄型フィッティングはカラーを含み、カラーは雌型フィッティングを受容し且つ内部に単一の螺旋状のネジ山を有し、単一の螺旋状のネジ山は対向フランジと回転係合することで互いに対してシール係合する。
【０００４】
眼科手術では精巧さ及び複雑さが増大し続けており、標準的なルアースリップフィッティング及び／又は標準的なルアーロックフィッティングの突発的な誤接続を妨げる新しいチューブフィッティングに対する要求が依然として存在する。加えて、雄型チューブと雌型チューブとの間の接続を単純化する要求も依然として存在する。さらに、ロック要素を有しない既存の付属品と後方互換性のある斯かる接続に対する要求も依然として存在する。
【発明の概要】
【発明が解決しようとする課題】
【０００５】
本明細書に開示されるシステム、装置及び方法によって、従来技術における欠点のうちの少なくとも一つが克服される。
【課題を解決するための手段】
【０００６】
一つの模範的な態様では、本開示はシステムを対象とする。システムは、長手方向の軸線に沿って延在する雄型チューブフィッティングを有する。雄型チューブフィッティングは、第１の内部ボアと、雄型プラグを含む端部分とを有する。システムは、雄型プラグを受容するように構成された第２の内部ボアを有する雌型チューブフィッティングも有する。また、システムは、雄型チューブフィッティングの周りに配置され且つ長手方向の軸線に沿って第１の位置から第２の位置へ自由に摺動するように位置付けられたカラーを有する。第１の位置では、雄型プラグが雌型チューブフィッティングの第２の内部ボア内に取外し可能に挿入可能であるように、雄型チューブフィッティングと雌型チューブフィッティングとは互いに対してロック解除される。第２の位置では、雄型プラグが雌型チューブフィッティングの第２の内部ボアから取り外されることが妨げられるように、雄型チューブフィッティングと雌型チューブフィッティングとは互いに対してロックされる。
【０００７】
一つの模範的な態様では、本開示はシステムを対象とする。システムは、長手方向の軸線に沿って延在する外面と、テーパー状端部分とを有する雄型チューブフィッティングを有する。雄型チューブフィッティングは第１の内部ボアを含む。システムは、テーパー状端部分を受容するように構成された第２の内部ボアを有する雌型チューブフィッティングも有する。雌型チューブフィッティングは、突起を含む外面を有する。また、システムは、雄型チューブフィッティングの外面の周りに配置され、雄型チューブフィッティングに対して長手方向の軸線回りに回転可能なカラーを有する。カラーは、雌型チューブフィッティングの突起を取外し可能に受容するように構成された空間を画定するネジ山パターンを含む内面を有するネジ切りされた内部ボアを含む。突起が空間内に位置付けられるとき、雄型チューブフィッティングに対する長手方向の軸線回りのカラーの回転によって、雄型チューブフィッティングの第１の内部ボアは雌型チューブフィッティングの第２の内部ボアとシール係合され且つロックされる。
【０００８】
一つの模範的な態様では、本開示はシステムを対象とする。システムは、長手方向の軸線に沿って延在し且つ保持部材を含む外面を有する雄型チューブフィッティングを有する。雄型チューブフィッティングは、第１の内部ボアと、テーパー状端部分とを更に含む。また、システムは、テーパー状端部分を受容するように構成された第２の内部ボアを有する雌型チューブフィッティングを有する。加えて、システムは、雄型チューブフィッティングの外面の周りに配置され且つ長手方向の軸線に沿った第１の位置に保持部材によって選択的に保持されたカラーを有する。カラーは、長手方向の軸線に沿った第２の位置まで保持部材の選択的な保持部を越えてカラーを位置付けるべく変形する弾性変形可能な部分を含む。第１の位置では、テーパー状端部分が雌型チューブフィッティングの第２の内部ボア内に取外し可能に挿入可能であるように、雄型チューブフィッティングと雌型チューブフィッティングとは互いに対してロック解除される。第２の位置では、テーパー状端部分が雌型チューブフィッティングの第２の内部ボアから取り外されることが妨げられるように、雄型チューブフィッティングと雌型チューブフィッティングとは互いに対してロックされる。
【０００９】
本開示のこれら及び他の態様、形態、目的、特徴、利点が以下の詳細な図面及び説明から明らかとなるだろう。
【図面の簡単な説明】
【００１０】
【図１】図１は、本開示の一つの態様に係る模範的な引っ込み式ルアーロックシステムの分解図を示す。
【図２】図２は、本開示の一つの態様に係る図１に示された引っ込み式ルアーロックシステムにおいて使用される雌型チューブフィッティングの断面図を示す。
【図３】図３は、本開示の一つの態様に係る図１に示された引っ込み式ルアーロックシステムにおいて使用される引っ込み式ロックカラーを含む雄型チューブフィッティングの斜視図を示す。
【図４】図４は、本開示の一つの態様に係る図３に示された引っ込み式ロックカラーを含む雄型チューブフィッティングの断面図を示す。
【図５】図５は、本開示の一つの態様に係る図３に示された引っ込み式ロックカラーを含む雄型チューブフィッティングの端面図を示す。
【図６】図６は、本開示の一つの態様に係るロック解除形態における図１の模範的な引っ込み式ルアーロックシステムの断面図を示す。
【図７】図７は、本開示の一つの態様に係るロック形態における図１の模範的な引っ込み式ルアーロックシステムの断面図を示す。
【図８】図８は、本開示の一つの態様に係る代替的な引っ込み式ロックカラーを含む図３の雄型チューブフィッティングの端面図を示す。
【発明を実施するための形態】
【００１１】
本明細書に包含され且つ本明細書の一部を構成する添付の図面が本開示の実施形態を示す。上記の本開示の一般的に記載と下記の詳細な記載と共に、図面は本開示の実施形態を例証するのに役立つ。
本開示は、概して眼科手術の分野に関し、特に、眼科手術において使用される手術器具にチューブを結合するように構成された引っ込み式ルアーロックフィッティングに関する。本開示の原理の理解を促進する目的で、以下、図面において示される実施形態又は例が参照され、これら例を記載するのに特定の用語が使用される。それにもかかわらず、このことによって本開示の範囲が限定されることは意図されていないことが理解される。当業者が通常気付くように、記載される実施形態における任意の変更及び更なる修正並びに本明細書に記載されるような本開示の原理の任意の更なる用途が考えられる。
【００１２】
図１は、模範的な引っ込み式ルアーロックシステム１００の分解図を示す。図示されるように、引っ込み式ルアーロックシステム１００は雌型チューブフィッティング１０２又は雌型ルアーロックを含む。加えて、引っ込み式ルアーロックシステム１００は雄型チューブフィッティング１０４又は雄型ルアーフィッティングを含む。また、引っ込み式ルアーロックシステム１００は引っ込み式ロックカラー１０６を含む。以下により詳細に記載されるように、引っ込み式ロックカラー１０６は、雄型チューブフィッティング１０４の周りで、引っ込められ、平行移動し、摺動し、移動し、且つ／又は回転するように構成される。この結果、引っ込み式ロックカラー１０６は、雄型チューブフィッティング１０４に対して軸線方向に移動して、雄型チューブフィッティング１０４と雌型チューブフィッティング１０２とを互いに効果的にロックし且つロック解除することができる。
【００１３】
図１及び図２を参照すると、雌型チューブフィッティング１０２が、近位端部１０８から遠位端部１１０まで延在する概してチューブ状の形状を有することが示される。内部ボア１１２が雌型チューブフィッティング１０２を通って延在する。近位開口１１４が近位端部１０８において内部ボア１１２と連通し、遠位開口１１６が遠位端部１１０において内部ボア１１２と連通する。図示されるように、内部ボア１１２は、近位端部１０８から遠位端部１１０へ連続的に先細になる内面１１８によって画定される。この結果、内部ボア１１２はルアーテーパー（luer taper）を有する。
【００１４】
近位端部１０８において、雌型チューブフィッティング１０２は、外面１２２から延在する突起１２０又は羽部を含む。ここで、雌型チューブフィッティング１０２は一対の対向突起１２０を有し、一対の対向突起１２０は近位端部１０８の対向する側に位置付けられる。突起１２０は雌型チューブフィッティング１０２の長手方向の軸線Ｌ1に対して略横向きに延在する。さらに、各突起１０２は長手方向の軸線Ｌ1から反対向きに延在する。二つの突起１２０として示されているが、他の実施形態では、雌型チューブフィッティング１０２が二つ以上の突起１２０を有することが考えられる。以下により詳細に記載されるように、突起１２０は、雌型チューブフィッティング１０２を雄型チューブフィッティング１０４にロックすることを補助する。
【００１５】
図１、図３及び図４を参照すると、雄型チューブフィッティング１０４は近位端部１２４から遠位端部１２６まで延在する。近位端部１２４はフランジ１２８を含み、遠位端部１２６は雄型プラグ１３０又はテーパー状の遠位端部を形成する。これに関連して、フランジ１２８は、雌型チューブフィッティング１０２と雄型チューブフィッティング１０４とを接続し且つ／又は接続解除する間に使用される牽引面又は把持面をシステム１００の使用者に提供する。さらに、雄型プラグ１３０は、ルアーテーパーを有し、雌型チューブフィッティング１０２の内部ボア１１２内に受容されるような大きさに形成される。このため、フランジ１２８によって、使用者は、雌型チューブフィッティング１０２の内部ボア１１２内に雄型プラグ１３０を挿入する間又は雌型チューブフィッティング１０２の内部ボア１１２から雄型プラグ１３０を取り外す間、雄型チューブフィッティング１０４を把持できるようになる。この結果、フランジ１２８は雌型チューブフィッティング１０２と雄型チューブフィッティング１０４との間の容易な接続及び接続解除を補助する。
【００１６】
図示されるように、雄型チューブフィッティング１０４は、雄型チューブフィッティング１０４を通って延在する内部ボア１３２を含む。近位開口１３４が近位端部１２４において内部ボア１３２と連通し、遠位開口１３６が遠位端部１２６において内部ボア１３２と連通する。内部ボア１３２は内面１３８によって画定される。これに関連して、内面１３８は近位端部１２４から遠位端部１２６まで先細になり且つ／又は逓減する。この結果、雄型チューブフィッティング１０４の近位端部１２４における内部ボア１３２の直径は、雄型チューブフィッティング１０４の遠位端部１２６における内部ボアの直径よりも大きい。
【００１７】
図１及び図４に最もよく示されるように、雄型チューブフィッティング１０４は、近位保持部材１４０又は環状瘤（annular nub）と、遠位保持部材１４２又は環状瘤とを含む。近位保持部材１４０及び遠位保持部材１４２は、雄型チューブフィッティング１０４の周囲の周りに延在し、雄型チューブフィッティング１０４の外面１４４に沿って、隆起した環状リング、部分及び又は隆起部を形成する。以下により詳細に記載されるように、近位保持部材１４０及び遠位保持部材１４２は、雄型チューブフィッティング１０４の外面１４４に沿った所望の位置にロックカラーを選択的に保持し且つ／又は保つべく、引っ込み式ロックカラー１０６と相互に作用する。
【００１８】
図１、図３及び図４を参照すると、引っ込み式ロックカラー１０６は近位端部１４６から遠位端部１４８まで延在する。図示されるように、内部ボア１５０が引っ込み式ロックカラー１０６を通って延在する。近位開口１５２は近位端部１４６において内部ボア１５０と連通し、遠位開口１５４は遠位端部１４８において内部ボア１５０と連通する。
【００１９】
内部ボア１５０は内面１５６によって画定される。図５に最もよく示されるように、内面１５６はネジ山１５８、１６０又は傾斜面を含む。ネジ山１５８、１６０は内部ボア１５０内に二重の螺旋状ネジ山パターンを形成する。これに関連して、ネジ山１５８、１６０は、内面１５６の周りに周方向に延在するとき、反対方向に傾斜している。加えて、ネジ山１５８、１６０は、雌型チューブフィッティング１０２の突起１２０を取外し可能に受容するように構成された一対の対向空間１６２を形成する。以下、より詳細に記載されるように、突起１２０が空間１６２に設置されて、引っ込み式ロックカラー１０６が雄型チューブフィッティング１０４回りに第１の方向に回転されると、雄型チューブフィッティング１０４は雌型チューブフィッティング１０２とシール係合されて雌型チューブフィッティング１０２内にロックされる。
【００２０】
図示されるように、引っ込み式ロックカラー１０６の近位端部１４６は、解放部分１６４、開口部又はスリットを含む。これに関連して、引っ込み式ロックカラー１０６の外面１６６は解放部分１６４によって遮断される。解放部分１６４は、外面１６６から、内部ボア１５０を画定する内面１５６まで延在する。この結果、解放部分１６４は近位端部１４６の可撓性及び／又は弾性を増大する。このため、近位端部１４６は解放部分１６４によって弾性変形可能である。
【００２１】
引っ込み式ロックカラー１０６の近位端部１４６は、内部ボア１５０内に延在するテーパー状リップ１６８又はフランジも含む。これに関連して、テーパー状リップ１６８は近位開口１５２に隣接し且つ近位開口１５２を囲む。さらに、テーパー状リップ１６８は解放部分１６４によって遮断される。この結果、テーパー状リップ１６８は近位開口１５２の周りに非連続の環状リップを形成する。以下、より詳細に記載されるように、テーパー状リップ１６８は、雄型チューブフィッティング１０４の外面１４４に沿った既定の位置に引っ込み式ロックカラーを保持し且つ／又は保つべく、近位保持部材１４０及び遠位保持部材１４２と相互に作用する。
【００２２】
図３及び図４を参照すると、引っ込み式ロックカラー１０６は雄型チューブフィッティング１０４の外面１４４の周りに配置される。引っ込み式ロックカラー１０６は雄型チューブフィッティング１０４の外面１４４に沿って位置付けられるように構成される。これに関連して、引っ込み式ロックカラー１０６は、外面１４４に沿って移動するとき、雄型チューブフィッティング１０４回の長手方向の軸線Ｌ2の周りで、引っ込み、平行移動し、摺動し、移動し、且つ／又は自由に回転することができる。例えば、引っ込み式ロックカラー１０６は、雄型チューブフィッティング１０４の外面１４４の任意の位置に沿って、フランジ１２８の基部１７０の周りから雄型プラグ１３０の隆起部１７２まで位置付け可能である。
【００２３】
図１及び図３に最もよく示されるように、引っ込み式ロックカラー１０６は、外面１６４の周りに延在する複数の隆起部１７４を有する。これに関連して、隆起部１７４は把持面を提供し、把持面によって、使用者は、雄型チューブフィッティング１０４の周りに引っ込み式ロックカラー１０６を位置付ける間、把持面を保ち又は把持することができる。具体的には、隆起部１７４は、雄型チューブフィッティング１０４の周りで引っ込み式ロックカラー１０６を引っ込め、平行移動させ、摺動させ、移動させ、且つ／又は回転させるときに保持される面を提供する。
【００２４】
さらに、図４は、近位保持部材１４０によって保持される引っ込み式ロックカラー１０６を示す。この位置では、引っ込み式ロックカラーは引っ込められた位置又は第１の位置にあると見なされる。図示されるように、引っ込み式ロックカラー１０６のテーパー状リップ１６８は基部位置の間に位置付けられる。加えて、引っ込められた位置では、近位保持部材１４０は、引っ込められたロックカラーのテーパー状リップ１６８に当接し、このことによってロックカラーを選択的に保持し、ロックカラーが外面１４４に沿って雄型プラグ１３０に向かって移動することを妨げる。このため、引っ込められた位置では、ロックカラーが選択的に保持され且つ／又はプラグに向かって摺動することが妨げられ、このことによってカラーがプラグの使用を妨害しないので、雄型チューブフィッティング１０４の雄型プラグ１３０はより容易にアクセス可能である。
【００２５】
図６は、ロック解除形態におけるルアーロックシステム１００の断面図を示す。ロック解除形態では、引っ込み式ロックカラー１０６は近位保持部材１４０によって引っ込められた位置に選択的に保持される。引っ込められた位置において、テーパー状リップ１６８は、近位保持部材１４０に当接し、このことによって選択的にロックカラーが外面１４４に沿って雄型プラグ１３０に向かって移動することを妨げる。このため、引っ込められた位置では、ロックカラーが選択的に保持され且つ／又はプラグに向かって摺動することが妨げられ、このことによってカラーがプラグの使用を妨害しないので、雄型チューブフィッティング１０４の雄型プラグ１３０はより容易にアクセス可能である。
【００２６】
図６に示されるように、雄型プラグ１３０は近位開口１１４を通して雌型チューブフィッティング１０２の内部ボア１１２内に挿入された。上述されるように、引っ込み式ロックカラー１０６が引っ込められた位置にあるので、ロックカラーは選択的に保持され且つ／又はプラグに向かって摺動することが妨げられ、このことによってカラーが雌型チューブフィッティング１０２内へのプラグの挿入を妨害しない。さらに、引っ込み式ロックカラー１０６は、引っ込められた位置にあるとき、雌型チューブフィッティング１０２と雄型チューブフィッティングと１０４を互いにロックしない。このため、引っ込み式ロックカラー１０６が引っ込められた位置にある間、雄型プラグ１３０は雌型チューブフィッティング１０２の内部ボア１１２内に取外し可能に挿入可能である。言い換えれば、雄型プラグ１３０は、引っ込み式ロックカラー１０６が引っ込められた位置にあるとき、雌型チューブフィッティング１０２の内部ボア１１２内に挿入され且つ内部ボア１１２から取り外されることができる。したがって、ロック解除形態では、引っ込み式ロックカラー１０６は、引っ込められて、雌型チューブフィッティング１０２と雄型チューブフィッティング１０４とを互いにロックしない。
【００２７】
さらに、雄型チューブフィッティング１０４と雌型チューブフィッティング１０２との接続の間、フランジ１２８は更に補助する。これに関連して、雄型チューブフィッティング１０４のフランジ１２８によって、使用者は、雄型プラグ１３０を内部ボア１１２内に挿入する間、雄型チューブフィッティング１０４をより容易に把持することができる。例えば、フランジ１２８は把持面を提供し、把持面によって、使用者は、雌型チューブフィッティング１０２と雄型チューブフィッティング１０４との接続の間、雄型チューブフィッティング１０４上で、捻り、押し、引き、且つ／又はこれらと均等のことができるようになる。加えて、ロック解除形態では、フランジ１２８は雄型チューブフィッティング１０４を雌型チューブフィッティング１０２内に位置付けることを助ける。
【００２８】
図７は、ロック形態におけるルアーロックシステム１００の断面図を示す。図６に示されるロック解除形態から、引っ込み式ロックカラー１０６は、外面１４４に沿って移動され、ここでは、引っ込められてない位置において又は第２の位置において、遠位保持部材１４２によって保持される。図示されるように、引っ込み式ロックカラー１０６のテーパー状リップ１６８は、引っ込められてない位置にある間、遠位保持部材１４２と雄型プラグ１３０の隆起部１７２との間に位置付けられる。
【００２９】
引っ込められてない位置を実現するために、引っ込み式ロックカラー１０６は長手方向の軸線Ｌ2に沿って雄型プラグ１３０に向かって第１の方向に移動された。これに関連して、近位端部１４６が解放部分１６４によって増大した可撓性を有するので、近位端部１４６は、外面１４４に沿って雄型プラグ１３０に向かって移動するとき、近位保持部材１４０と遠位保持部材１４２とをそれぞれ通過すると、外面１４４から外側に離れるように変形し又は撓むことができる。具体的には、十分な力が雄型プラグ１３０の方向にロックカラーに印加されるとき、テーパー状リップ１６８は、近位保持部材１４０と遠位保持部材１４２とにそれぞれ当接すると、外面１４４から外側に離れるように撓む。この結果、テーパー状リップ１６８は、近位保持部材１４０と遠位保持部材１４２とをそれぞれ通過することができ、外面１４４に沿って雄型プラグ１３０に向かって移動し、引っ込められてない形態に変わる。したがって、引っ込められてない形態では、テーパー状リップ１６８は、遠位保持部材１４２に当接し、このことによって、ロックカラーを選択的に保持し、ロックカラーが長手方向の軸線Ｌ2に沿ってフランジ１２８に向かって反対の第２の方向に外面１４４に沿って動くことを妨げる。
【００３０】
加えて、図７は、雄型チューブフィッティング１０４が引っ込み式ロックカラー１０６を介して雌型チューブフィッティング１０２に互いにロックされることを示す。これに関連して、引っ込み式ロックカラー１０６は、突起１２０がカラーの空間１６２内に挿入されるように、突起１２０に対して整列された。さらに、引っ込み式ロックカラー１０６は、第１の方向（例えば時計回り）に長手方向の軸線Ｌ2回りに回転されて、雄型チューブフィッティング１０４と雌型チューブフィッティング１０２とを互いにシール係合し且つロックする。この結果、雌型チューブフィッティングの内部ボア１１２と雄型チューブフィッティング１０４の内部ボア１３２とは流体結合される。このため、引っ込み式ロックカラー１０６が引っ込められてない位置にある間、雄型プラグ１３０は雌型チューブフィッティング１０２の内部ボア１１２から取り外されることが妨げられる。したがって、ロック形態では、引っ込み式ロックカラー１０６は、雌型チューブフィッティング１０２と雄型チューブフィッティング１０４とを互いにロックし、このことによってそれぞれのチューブの内部ボアをシール係合する。
【００３１】
代替的な実施形態では、引っ込み式ロックカラー１０６は、別の方向（例えば反時計回り）に長手方向の軸線Ｌ2回りに回転されて、雄型チューブフィッティング１０４と雌型チューブフィッティング１０２とを互いにシール係合し且つロックするように構成されることに留意すべきである。斯かる代替的な実施形態では、引っ込み式ロックカラー１０６のネジ山１５８、１６０は、引っ込み式ロックカラー１０６の長手方向の軸線Ｌ2回りの反時計回りの回転によって雄型チューブフィッティング１０４と雌型チューブフィッティング１０２とが互いにシール係合され且つロックされるように方向付けられる。
【００３２】
さらに、引っ込み式ロックカラー１０６を介した雄型チューブフィッティング１０４の雌型チューブフィッティング１０２へのロックは、チューブフィッティングを回転させ又は捻ることなく生じうることに留意されたい。上述されたように、引っ込み式ロックカラー１０６は、雄型チューブフィッティング１０４に対して第１の方向に長手方向の軸線Ｌ2回りに回転して、雌型チューブフィッティング１０２と雄型チューブフィッティング１０４とをロックする。しかしながら、このロック工程の間、雌型チューブフィッティング１０２と雄型チューブフィッティング１０４とは必ずしも互いに対して回転されることを必要としない。結果として、雄型チューブと雌型チューブとを互いにロックすることは、チューブを互いにロックする引っ込み式ロックカラー１０６の結果として必要とされる捻り及び／又は回転の欠如によって単純化される。
【００３３】
加えて、引っ込み式ルアーロックシステム１００は、図７に示されるロック形態から図６に示される非ロック形態に戻ることができる。これに関連して、雄型チューブフィッティング１０４と雌型チューブフィッティング１０２とは、雄型チューブフィッティング１０４に対して第２の方向（例えば反時計回り）に長手方向の軸線Ｌ2回りに引っ込み式ロックカラー１０６を回転させることによって、互いからロック解除されてもよい。さらに、図７に示されるロック形態から、引っ込み式ロックカラー１０６は、テーパー状リップ１６８が引っ込められた形態（図６参照）において近位保持部材１４０によって選択的に保持されるように、外面１４４に沿って移動される。近位端部１４６が解放部分１６４の結果として増大した可撓性を有するので、近位端部１４６は、フランジ１２８に向かって長手方向の軸線Ｌ2に沿って第２の方向に外面１４４に沿って移動するとき、遠位保持部材１４２と近位保持部材１４０とをそれぞれ通過すると、外面１４４（すなわち長手方向の軸線Ｌ2）から外側に離れるように撓み又は変形することができる。具体的には、十分な力がフランジ１２８に向かって第２の方向に引っ込み式ロックカラー１０６に印加されるとき、テーパー状リップ１６８は、遠位保持部材１４２と近位保持部材１４０とにそれぞれ当接すると、外面１４４から外側に離れるように変形し又は撓む。この結果、テーパー状リップ１６８は、選択的な保持部の遠位保持部材１４２と近位保持部材１４０とをそれぞれ通過することができ、引っ込み式ロックカラーが引っ込められた位置を呈するまで、外面１４４に沿ってフランジ１２８に向かって移動する。
【００３４】
引っ込み式ルアーロックシステム１００の使用例が以下に記載され、引っ込み式ルアーロックシステム１００では、医療サービス提供者が引っ込み式ルアーロックシステム１００を使用して手術器具を手術コンソールに流体結合する。雌型チューブフィッティング１０２が遠位端部１１０において手術器具に流体結合される。この結果、雌型チューブフィッティング１０２の内部ボア１１２が手術器具と流体連通する。
【００３５】
雄型チューブフィッティング１０４が従来のプラスチックチューブの部品の第１端部に流体結合される。具体的には、チューブの部品の第１端部が近位開口１３４を通して雄型チューブフィッティング１０４の内部ボア１３２内に挿入される。プラスチックチューブの部品の反対の端部が手術コンソールに流体結合される。
【００３６】
その後、手術器具が手術コンソールに流体結合される。これに関連して、雄型プラグ１３０が雌型チューブフィッティング１０２の内部ボア１１２内に挿入される。より具体的には、引っ込み式ロックカラー１０６が、雄型プラグ１３０の内部ボア１２２内への挿入の間、引っ込められた位置にある。その後、引っ込み式ロックカラー１０６が雄型チューブフィッティング１０４の外面１４４に沿って引っ込められた位置から引っ込められてない位置へ摺動される。加えて、引っ込み式ロックカラー１０６の空間１６２が雌型チューブフィッティング１０２の突起１２０に対して整列される。カラーが引っ込められてない位置にあり且つ突起が空間１６２内に位置付けられた時点で、引っ込み式ロックカラー１０６が雄型チューブフィッティング１０４の長手方向の軸線Ｌ2回りに第１の方向（例えば時計回り）に回転される。斯かる回転によって雄型チューブフィッティング１０４と雌型チューブフィッティング１０２とが互いにシール状態でロックされる。したがって、引っ込み式ルアーロックシステム１００は、雄型チューブフィッティングと雌型チューブフィッティングとが互いに対してシール係合されることを可能とする引っ込み式ルアーロックを提供する。
【００３７】
加えて、雄型チューブフィッティング１０４と雌型チューブフィッティング１０２とは、第１の方向とは反対の第２の方向（例えば反時計回り）に、雄型チューブフィッティング１０４の長手方向の軸線Ｌ2回りに引っ込み式ロックカラー１０６を回転させることによってロック解除されてもよい。さらに、いったんロック解除された引っ込み式ロックカラーは外面に沿って引っ込められた位置まで摺動される。引っ込められた位置では、引っ込み式ロックカラーはもはや雌型チューブフィッティング１０２と雄型チューブフィッティング１０４とを互いにロックしていない。この結果、雌型チューブフィッティング１０２から雄型チューブフィッティング１０４を引き、捻り、且つ／又は物理的に取り外すことを補助する把持面を提供するのにフランジ１２８が使用される。言い換えれば、引っ込み式ロックカラー１０６が引っ込められた位置にある状態では、雄型プラグ１３０を内部ボア１１２から取り外すことができ、このことによって雌型チューブフィッティング１０２と雄型チューブフィッティング１０４とを互いから物理的に接続解除することができる。
【００３８】
図８は、本開示の一つの態様に係る代替的な引っ込み式ロックカラー２００の端面図を示す。引っ込み式ロックカラー２００は引っ込み式ロックカラー１０６と同様である。さらに、ロックカラー２００は引っ込み式ルアーロックシステム１００においてロックカラー１０６の代わりに使用されることができる。さらに、簡潔にするために、ロックカラー２００についての相違点のみが以下に記載される。
【００３９】
図示されるように、ロックカラー２００は、内面２０４によって画定される内部ボア２０２を有する。内面２０４は、ネジ山２０６、２０８、２１０、２１２又は傾斜面を含む。ネジ山２０６、２０８、２１０、２１２は、内部ボア２０２内の内面２０４に沿って周方向に延在する四つの螺旋状ネジ山パターンを形成する。これに関連して、ネジ山２０６、２０８は、互いに対して反対方向に傾斜している一対の対向ネジ山を形成する。加えて、ネジ山２１０、２１２は、互いに対して反対方向に傾斜している一対の対向ネジ山を形成する。
【００４０】
加えて、ネジ山２０６、２０８は、雌型チューブフィッティング１０２の突起１２０を受容するための一対の対向空間２１４を作り出す。さらに、ネジ山２１０、２１２は、雌型チューブフィッティング１０２の突起１２０を受容するための一対の対向空間２１６を作り出す。このため、引っ込み式ロックカラー２００は、突起１２０を受容するための四つの空間を有する。このため、突起１２０が空間２１４及び／又は２１６内に設置されて、ロックカラー２００が回転されると、雄型チューブフィッティング１０４と雌型チューブフィッティング１０２とが互いにロックされる。したがって、引っ込み式ロックカラー２００は、引っ込み式ロックカラー１０６に対して追加の空間及びネジ部を有する代替的なロックカラーを有する代替的なロックカラーを提供する。
【００４１】
さらに、雌型チューブフィッティング１０２が、引っ込み式ロックカラー２００を使用するとき二つ以上の図１に示される突起１２０を含むことができることが考えられる。例えば、代替的な実施形態では、雌型チューブフィッティング１０２は二対の対向突起２０を含むことができる。この結果、空間２１４、２１６の各々について突起１２０が存在する。
【００４２】
加えて、突起１２０が引っ込み式ロックカラーの空間に整列し且つ引っ込み式ロックカラーの空間内に位置付けられるような大きさである限り、突起１２０の数及び／又は形態は限定されるものではない。同様に、ネジ山によって形成された空間が、与えられた雌型チューブフィッティングに適合する限り、本明細書に開示された引っ込み式ロックカラーにおけるネジ山の数及び／形態は限定されるものではない。
【００４３】
本開示が上述の実施形態によって示され、実施形態が幾分詳細に記載されてきたが、本開示の範囲が斯かる詳細に制限され又はいかなる態様でも限定されることを出願人は意図していない。追加の利点及び修正が当業者に容易に明らかである。このため、広い態様における本開示は、具体的な詳細、それぞれの装置及び方法、並びに示され且つ記載された説明のための例に限定されるものではない。したがって、出願人の一般的な思想又は独創的な概念の範囲を逸脱することなく、斯かる詳細から逸脱することができる。
【図１】
2014531227.tif 000003
【図２】
2014531227.tif 000004
【図３】
2014531227.tif 000005
【図４】
2014531227.tif 000006
【図５】
2014531227.tif 000007
【図６】
2014531227.tif 000008
【図７】
2014531227.tif 000009
【図８】
2014531227.tif 000010
【国際調査報告】
2014531227.tif 000011